【手続補正書】
【提出日】平成26年4月9日(2014.4.9)
【手続補正１】
【補正対象書類名】特許請求の範囲
【補正対象項目名】全文
【補正方法】変更
【補正の内容】
【特許請求の範囲】
【請求項１】
制御装置に接続可能な記録装置であって、
インクを吐出するノズルが形成されたインクジェットヘッドと、
記録媒体を搬送する搬送部と、
前記制御装置から制御コマンドを受信する受信部と、
前記受信部で受信した前記制御コマンドに基づいて、前記インクジェットヘッド、及び、前記搬送部を制御して、前記記録媒体に記録する記録制御部と、を備え、
前記記録制御部は、
特定の記録に係る前記制御コマンドの実行と対応させて、前記ノズルにおけるインクの増粘の抑制に係る処理を実行することを特徴とする記録装置。
【請求項２】
特定の記録に係る前記制御コマンドには、特定の文字列の記録を指示するコマンド、及び、特定のグラフィック画像の記録を指示するコマンドが含まれ、
前記記録制御部は、
前記特定の文字列の記録を指示するコマンド、又は、前記特定のグラフィック画像の記録を指示するコマンドの実行と対応させて、前記ノズルにおけるインクの増粘の抑制に係る処理を実行することを特徴とする請求項１に記載の記録装置。
【請求項３】
前記記録媒体の末端部には、末端画像が記録され、
前記記録制御部は、
前記末端画像の記録に係るコマンドの実行後、前記ノズルにおけるインクの増粘の抑制に係る処理を実行することを特徴とする請求項１に記載の記録装置。
【請求項４】
前記ノズルにおけるインクの増粘の抑制に係る処理には、
前記インクジェットヘッドのキャッピングが含まれることを特徴とする請求項１乃至３のいずれかに記載の記録装置。
【請求項５】
前記キャッピングの処理には、前記インクジェットヘッドをホームポジションに位置させることが含まれることを特徴とする請求項４に記載の記録装置。
【請求項６】
制御装置に接続可能であり、インクを吐出するノズルが形成されたインクジェットヘッドと、前記制御装置から制御コマンドを受信する受信部と、を備える記録装置の制御方法であって、
前記受信部で前記制御コマンドを受信し、受信した前記制御コマンドに、特定の記録に係る前記制御コマンドが含まれている場合は、当該制御コマンドの実行と対応させて、前記ノズルにおけるインクの増粘の抑制に係る処理を実行することを特徴とする記録装置の制御方法。
【請求項７】
制御装置に接続可能であり、インクを吐出するノズルが形成されたインクジェットヘッドと、記録媒体を搬送する搬送部と、前記制御装置から制御コマンドを受信する受信部と、を備える記録装置の各部を制御する制御部により実行されるプログラムであって、
前記制御部を、
前記受信部で受信した制御コマンドに基づいて、前記インクジェットヘッド、及び、前記搬送部を制御して、前記記録媒体に記録する一方、
前記受信部で受信した前記制御コマンドの実行に際し、特定の記録に係る前記制御コマンドの実行と対応させて、前記ノズルにおけるインクの増粘の抑制に係る処理を実行する記録制御部として機能させることを特徴とするプログラム。
【手続補正２】
【補正対象書類名】明細書
【補正対象項目名】０００５
【補正方法】変更
【補正の内容】
【０００５】
上記目的を達成するために、本発明は、制御装置に接続可能な記録装置であって、インクを吐出するノズルが形成されたインクジェットヘッドと、記録媒体を搬送する搬送部と、前記制御装置から制御コマンドを受信する受信部と、前記受信部で受信した前記制御コマンドに基づいて、前記インクジェットヘッド、及び、前記搬送部を制御して、前記記録媒体に記録する記録制御部と、を備え、前記記録制御部は、特定の記録に係る前記制御コマンドの実行と対応させて、前記ノズルにおけるインクの増粘の抑制に係る処理を実行することを特徴とする。
この構成によれば、記録に係る特定の制御コマンドの実行に対応させて、ノズルにおけるインクの増粘の抑制に係る処理を行うため、例えば、ある一連のジョブの最後に記録すべき画像の記録に係る制御コマンドを実行したことをトリガーとして、当該増粘の抑制に係る処理を実行することが可能となり、これにより、インクジェットヘッドを利用した記録が終了した後、迅速に、当該増粘の抑制に係る処理を実行して、効果的にインクの増粘を抑制することが可能となる。
【手続補正３】
【補正対象書類名】明細書
【補正対象項目名】０００６
【補正方法】変更
【補正の内容】
【０００６】
また、上記発明の記録装置であって、本発明は、特定の記録に係る前記制御コマンドには、特定の文字列の記録を指示するコマンド、及び、特定のグラフィック画像の記録を指示するコマンドが含まれ、前記記録制御部は、前記特定の文字列の記録を指示するコマンド、又は、前記特定のグラフィック画像の記録を指示するコマンドの実行と対応させて、前記ノズルにおけるインクの増粘の抑制に係る処理を実行することを特徴とする。
この構成によれば、例えば、ある一連のジョブの最後に記録すべき特定の文字列や特定のグラフィック画像を記録した後、すなわち、当該ジョブではインクジェットヘッドを利用する必要がなくなった後、すぐに、ノズルにおけるインクの増粘を抑制する処理を実行することが可能となり、より効果的にインクの増粘を抑制可能である。
【手続補正４】
【補正対象書類名】明細書
【補正対象項目名】０００７
【補正方法】変更
【補正の内容】
【０００７】
また、上記発明の記録装置であって、本発明は、前記記録媒体の末端部には、末端画像が記録され、前記記録制御部は、前記末端画像の記録に係るコマンドの実行後、前記ノズルにおけるインクの増粘の抑制に係る処理を実行することを特徴とする。
ここで、レシートでは、感謝を示す文言や、ボトムロゴ等、その末端部に末端画像を定型的に記録する場合が多い。
そして、上記構成によれば、末端画像を記録した後、すなわち、レシートに記録すべき画像を全て記録した後、すぐに、インクの増粘の抑制に係る処理を実行するため、上記レシートの特徴を利用して、より効果的にインクの増粘の抑制を図ることが可能である。
【手続補正５】
【補正対象書類名】明細書
【補正対象項目名】００１０
【補正方法】変更
【補正の内容】
【００１０】
また、上記目的を達成するために、本発明は、制御装置に接続可能であり、インクを吐出するノズルが形成されたインクジェットヘッドと、前記制御装置から制御コマンドを受信する受信部と、を備える記録装置の制御方法であって、前記受信部で前記制御コマンドを受信し、受信した前記制御コマンドに、特定の記録に係る前記制御コマンドが含まれている場合は、当該制御コマンドの実行と対応させて、前記ノズルにおけるインクの増粘の抑制に係る処理を実行することを特徴とする。
この制御方法によれば、記録に係る特定の制御コマンドの実行に対応させて、ノズルにおけるインクの増粘の抑制に係る処理を行うため、例えば、ある一連のジョブの最後に記録すべき画像の記録に係る制御コマンドを実行したことをトリガーとして、当該増粘の抑制に係る処理を実行することが可能となり、これにより、インクジェットヘッドを利用した記録が終了した後、迅速に、当該増粘の抑制に係る処理を実行して、効果的にインクの増粘を抑制することが可能となる。
【手続補正６】
【補正対象書類名】明細書
【補正対象項目名】００１１
【補正方法】変更
【補正の内容】
【００１１】
また、上記目的を達成するために、本発明は、制御装置に接続可能であり、インクを吐出するノズルが形成されたインクジェットヘッドと、記録媒体を搬送する搬送部と、前記制御装置から制御コマンドを受信する受信部と、を備える記録装置の各部を制御する制御部により実行されるプログラムであって、前記制御部を、前記受信部で受信した制御コマンドに基づいて、前記インクジェットヘッド、及び、前記搬送部を制御して、前記記録媒体に記録する一方、前記受信部で受信した前記制御コマンドの実行に際し、特定の記録に係る前記制御コマンドの実行と対応させて、前記ノズルにおけるインクの増粘の抑制に係る処理を実行する記録制御部として機能させることを特徴とする。
このプログラムを実行すれば、記録に係る特定の制御コマンドの実行に対応させて、ノズルにおけるインクの増粘の抑制に係る処理を行うため、例えば、ある一連のジョブの最後に記録すべき画像の記録に係る制御コマンドを実行したことをトリガーとして、当該増粘の抑制に係る処理を実行することが可能となり、これにより、インクジェットヘッドを利用した記録が終了した後、迅速に、当該増粘の抑制に係る処理を実行して、効果的にインクの増粘を抑制することが可能となる。